(57)【要約】【課題】本発明は、１つの光拡散板で複数の光源を覆う場合に、光拡散板における輝度に斑が生じにくい照明装置を提供する。【解決手段】照明装置１は、照明ユニット１０と、この照明ユニットが複数内部に整列配置される本体２と、本体に装着される光拡散板３とを備える。照明ユニット１０は、冷陰極蛍光ランプ１１とインバータ１２とベース１３とカバー１４とを有している。冷陰極蛍光ランプ１１は、屈曲部１１１を中間に設け、端部１１２が一方に揃えられた形状である。インバータ１２は、冷陰極蛍光ランプ１１に囲われる内側に配置される。ベース１３は、冷陰極蛍光ランプ１１及びインバータ１２を保持する。カバー１４は、透明部材で形成され、冷陰極蛍光ランプ１１とインバータ１２とを覆ってベース１３に固定される。光拡散板３は、照明ユニット１０の照射領域Ｗの複数にわたる範囲に一続きに設けられる。【選択図】      図１
2008204659.tif 000002
【特許請求の範囲】
【請求項１】
屈曲部を中間に設けて端部が一方に揃えられた冷陰極蛍光ランプ、およびこの冷陰極蛍光ランプに囲われる内側に配置されてこの冷陰極蛍光ランプの点灯を制御するインバータを、ベースで保持し、前記冷陰極蛍光ランプと前記インバータを覆う透明部材で形成されたカバーが取り付けられた照明ユニットと、
前記照明ユニットが複数内部に整列配置される本体と、
前記照明ユニットから投光される照射領域の複数にわたる範囲に一続きに前記本体に装着される光拡散板と
を備えることを特徴とする照明装置。
【請求項２】
前記照明ユニットは、前記冷陰極蛍光ランプの屈曲部側を互いに向き合わせて直線状に一対に配置した対峙配置群を平行に複数並べた状態に配列されることを特徴とする請求項１に記載の照明装置。
【請求項３】
前記照明ユニットは、前記冷陰極蛍光ランプの端部側を互いに向き合わせて直線状に一対に配置した背反配置群を平行に複数並べた状態に配列されることを特徴とする請求項１に記載の照明装置。
【請求項４】
前記照明ユニットは、前記冷陰極蛍光ランプの屈曲部側を互いに向き合わせて直線状に一対に配置した対峙配置群と、前記冷陰極蛍光ランプの端部側を互いに向き合わせて直線状に一対に配置した背反配置群とを、交互に平行に複数並べた状態に配置されることを特徴とする請求項１に記載の照明装置。
【請求項５】
前記照明ユニットは、前記冷陰極蛍光ランプの屈曲部側と端部側とを互いに向き合わせて直線状に一対に配置した直列配置群を平行に複数並べた状態に配列されることを特徴とする請求項１に記載の照明装置。
【請求項６】
隣り合う前記直列配置群は、前記屈曲部側の位置がそれぞれ同じ位置に揃う向きに配置されていることを特徴とする請求項５に記載の照明装置。
【請求項７】
前記直列配置群の前記屈曲部側は、隣り合う前記直列配置群の前記端部側と揃う向きに配置されていることを特徴とする請求項５に記載の照明装置。
【請求項８】
前記照明ユニットは、隣り合う照明ユニットとの位置決めを行う係合部を備えることを特徴とする請求項１に記載の照明装置。
【請求項９】
前記冷陰極蛍光ランプは、前記屈曲部から前記端部までの間に直線部分を有し、
前記係合部は、前記直線部分に沿う前記ベースの２つの側部の一方と他方とで、互いに回転対称となる配置に設けられていることを特徴とする請求項８に記載の照明装置。
【請求項１０】
前記冷陰極蛍光ランプは、前記屈曲部から前記端部までの間に直線部分を有し、
前記係合部は、前記直線部分に沿う前記ベースの２つの側部からそれぞれ外に向かって延びるとともに、前記本体に向かって貫通された取付孔を有し、
前記照明ユニットは、隣り合う前記照明ユニットの前記係合部どうしを互いに重ね合わされた状態で、前記取付孔を貫通する締結具によって前記本体に固定される
ことを特徴とする請求項８に記載の照明装置。
【発明の詳細な説明】
【技術分野】
【０００１】
本発明は、冷陰極蛍光ランプを内蔵する照明ユニットを光源として複数備える照明装置に関する。
【背景技術】
【０００２】
冷陰極蛍光ランプを光源に備える照明装置が、特許文献１に開示されている。この照明装置は、棒状に形成された冷陰極蛍光ランプを１つ備えている。また、棒状に形成された冷陰極蛍光ランプを内部に複数本配列した照明装置がある。この照明装置は、光源として熱陰極蛍光ランプよりも耐用年数が長い冷陰極蛍光ランプを用いることによって、蛍光ランプの交換頻度を減らし、保守費用の軽減を行っている。
【特許文献１】特開平９−１４７８０２号公報
【特許文献２】特開２００４−１４２９３３号公報
【発明の開示】
【発明が解決しようとする課題】
【０００３】
しかしながら、特許文献２に示すように、棒状の冷陰極蛍光ランプを複数並べる場合、向きを揃えて並べると電極部が隣り合う配置となる。複数の冷陰極蛍光ランプを一つの光拡散板で覆うと、電極部が隣り合う部分は、他の部分よりも光量が少ないため、暗く見える。照明装置は、意匠的な見栄えも重要であり、光拡散板において輝度に斑がないほうが好まれる。
【０００４】
そこで、本発明は、１つの光拡散板で複数の光源を覆う場合に、光拡散板における輝度に斑が生じにくい照明装置を提供する。
【課題を解決するための手段】
【０００５】
本発明に係る照明装置は、照明ユニットと、この照明ユニットが複数内部に整列配置される本体と、本体に装着される光拡散板とを備える。照明ユニットは、冷陰極蛍光ランプとインバータとベースとカバーとを有している。冷陰極蛍光ランプは、屈曲部を中間に設け、端部が一方に揃えられた形状である。インバータは、冷陰極蛍光ランプに囲われる内側に配置され、この冷陰極蛍光ランプの点灯を制御する。ベースは、冷陰極蛍光ランプ及びインバータを保持する。カバーは、透明部材で形成され、冷陰極蛍光ランプとインバータとを覆ってベースに固定される。光拡散板は、照明ユニットから投光される照射領域の複数にわたる範囲に一続きに設けられる。
【発明の効果】
【０００６】
本発明に係る照明装置によれば、光源となる照明ユニットに内蔵される冷陰極蛍光ランプの端部が一方に揃えられた形状である。冷陰極蛍光ランプは、これに囲われた内側の部分が光拡散板において輝度に斑が生じない程度に折り返される。そして、インバータは、冷陰極蛍光ランプに囲われた内側に配置される。つまり、冷陰極蛍光ランプをベースの外周に沿って配置される。
【０００７】
したがって、照明装置は、隣り合う照明ユニットの冷陰極蛍光ランプどうしの距離が等間隔になるように各照明ユニットを整列配置することができるので、光拡散板において輝度の斑が生じない。そして、照明ユニットを整列配置する場合に、隣り合う照明ユニットの冷陰極蛍光ランプの端部どうしが並んでも、互いを十分に接近させることができる。つまり、本願発明に係る照明装置は、冷陰極蛍光ランプの端部どうしが並ぶ部分に対応する光拡散板において、均質な明るさを提供できる。
【発明を実施するための最良の形態】
【０００８】
本発明に係る第１の実施形態の照明装置１は、図１から図５を参照して説明する。図１に示す照明装置１は、エレベータの乗籠１００の天井１０１に設置されている。以後、各実施形態における説明の便宜上、乗籠１００の籠ドア側を前、奥側を後、籠室の中から見て右および左をそれぞれ定義する。
【０００９】
照明装置１は、本体２と光拡散板３とを備える。本体２は、複数の照明ユニット１０を内部に備えている。光拡散板３は、図２に示すように本体２に装着されており、光源となる照明ユニット１０からそれぞれ投光される照射領域Ｗの複数にわたる範囲に一続きに設けられている。
【００１０】
光拡散板３は、照明ユニット１０から照射された光を内部で散乱及び乱反射させることによって、各照明ユニット１０から投光された光の輝度を均質にする。光拡散板３として、具体的には、表面がつや消し処理された透明部材や乳白色の透明部材が適用される。
【００１１】
個々の照明ユニット１０は、図３に示すように、冷陰極蛍光ランプ１１とインバータ１２とベース１３とカバー１４とを備える。冷陰極蛍光ランプ１１は、ガラス管１１０の途中でほぼ直角に２回折り曲げられて、矩形に折り返された屈曲部１１１を有している。したがって、ガラス管１１０の端部１１２は、一方に揃っている。冷陰極蛍光ランプ１１において、屈曲部１１１と端部１１２との間の区間の直線部分となるガラス管１１０は、光拡散板３における輝度に斑が生じない一定の間隔を空けて直線状に平行に延びている。
【００１２】
冷陰極蛍光ランプの電極は、ガラス管１１０の端部１１２に封入されている。端部１１２は、図４に示すように、絶縁性及び耐熱性に優れたゴム製の端部支持ブロック１１３で覆われている。電極から延びるリード線は、端部支持ブロック１１３の内部を通ってインバータ１２に接続される。また、図５に示すように、冷陰極蛍光ランプ１１は、ガラス管１１０の屈曲部１１１寄りの位置に、耐熱性を有したゴム製の中間支持ブロック１１４が装着されている。端部支持ブロック１１３及び中間支持ブロック１１４は、冷陰極蛍光ランプ１１を支持するための弾性支持部材の一例であって、ガラス管１１０を振動や衝撃から保護できるものであれば、ゴム製に限らない。
【００１３】
インバータ１２は、冷陰極蛍光ランプを点灯させる回路基板であって、図３及び図４に示すように、冷陰極蛍光ランプ１１で囲われる内側で端部１１２寄りの位置に配置されている。ベース１３は、冷陰極蛍光ランプ１１およびインバータ１２を保持する。冷陰極蛍光ランプ１１は、図３に示すように、ベース１３の外周縁の３辺に沿って配置される。ベース１３は、図４に示すように端部支持ブロック１１３を装着するための支持脚１３１と、図５に示すように中間支持ブロック１１４を装着するための据付部１３２を有している。
【００１４】
ベース１３は、図４に示すように冷陰極蛍光ランプ１１に挟まれる内側で支持脚１３１寄りの位置に、インバータ１２を据えるための４つの座部１３３を備える。支持脚１３１に挟まれる２つの座部１３３のうち１つの座部１３３は、穴１３４ａを有しており、インバータ１２の基板の角部に設けられた孔に通されたビスが螺挿される。残りの３つの座部１３３は、インバータ１２の基板の角部に設けられた孔に嵌合する凸部１３４ｂをそれぞれ有している。インバータ１２が配置される範囲のベース１３は、インバータ１２から離れる方向に凹んでいる。
【００１５】
ベース１３は、カバー１４を固定するためにフック１３５と支柱１３６とを備える。フック１３５は、図４に示すように支持脚１３１が設けられた側の角部に設けられている。支柱１３６は、図５に示すように据付部１３２の間に設けられている。また、図４および図５に示されるように、ベース１３は、この照明ユニット１０を本体２の内部に取り付けるための固定部１３７を支持脚１３１から据付部１３２までの間に有している。
【００１６】
固定部１３７は、小径部１３７ａと大径部１３７ｂとを有したいわゆるダルマ形の孔である。小径部１３７ａは、本体２に固定されるために使用されるボルトの頭が掛止される程度の大きさであり、大径部１３７ｂは、ボルトの頭が通過する大きさである。小径部１３７ａの向きは、同じ向きにそろえられている。したがって、照明ユニット１０を取り外す場合、本体２へ固定しているボルトを緩めて照明ユニット１０を小径部１３７ａから大径部１３７ｂへずらすことによって、簡単にはずすことができる。なお、固定部１３７は、ボルト以外の締結具を用いて固定されても良い。この場合の固定部１３７の形状は、その締結具に合わせて作られる。
【００１７】
カバー１４は、透明部材で形成され、冷陰極蛍光ランプ１１およびインバータ１２をすっぽり覆ってベース１３に固定される。カバー１４の外周部は、図３から図５に示すようにベース１３の外周縁に設けられる段差と嵌りあう。インバータ１２が配置される側には、図４に示すようにフック１３５が嵌り込む係合孔１４１が設けられている。また、カバー１４は、図５に示すように、支柱１３６に対応する位置に嵌合部１４２を有している。カバー１４は、ベース１３に対して取り付けられる場合、係合孔１４１をフック１３５に引っ掛けた後、嵌合部１４２を支柱１３６に合わせる。カバー１４の外から嵌合部１４２を通して支柱１３６に螺挿されるビス１６によってカバー１４は、ベース１３に固定される。
【００１８】
また、カバー１４は、リブ１４３，１４４と突起１４５、および挿通孔１４６を有している。図４及び図５に示すように、リブ１４３，１４４は、端部支持ブロック１１３および中間支持ブロック１１４に対応するカバー１４の内面に設けられ、冷陰極蛍光ランプ１１のガラス管１１０を横切る方向に延びている。図４に示すようにベース１３とカバー１４とが組み合わされることによって、端部支持ブロック１１３は、支持脚１３１とリブ１４３の間に挟みこまれる。図５に示すようにベース１３とカバー１４とが組み合わされることによって、中間支持ブロック１１４は、据付部１３２とリブ１４４との間に挟みこまれる。
【００１９】
突起１４５は、支持脚１３１から離れた位置に配置される２つの座部１３３に向かってカバー１４の内面から一体に延びている。図４に示すようにベース１３とカバー１４とが組み合わされることによって、突起１４５は、インバータ１２の角部を座部１３３に押さえ込む。突起１４５の先端には、座部１３３の凸部１３４ｂと嵌合する穴が開いている。
【００２０】
挿通孔１４６は、図３に示すようにベース１３に設けられた固定部１３７に対応して、好ましくは小径部１３７ａの中心と同軸上に、設けられている。挿通孔１４６は、固定部１３７に装着される締結具やその締結具を操作する工具が差し込める程度の大きさおよび形であれば良い。
【００２１】
以上のように構成された照明ユニット１０は、図１に示すように、冷陰極蛍光ランプ１１の屈曲部１１１側を互いに向き合わせて直線状に一対に配置された対峙配置群Ｇ１を構成し、さらにこの対峙配置群Ｇ１を平行に複数並べた状態に配列されている。各照明ユニット１０の冷陰極蛍光ランプ１１の直線部分どうし、および隣り合う対峙配置群Ｇ１の照明ユニット１０の冷陰極蛍光ランプ１１の直線部分は、互いに平行にかつ等間隔になるように配置されている。同じ対峙配置群Ｇ１の照明ユニット１０の屈曲部１１１どうしは、各冷陰極蛍光ランプ１１の直線部分どうしの幅よりもやや狭い位置関係である。
【００２２】
照明ユニット１０が上述のとおり配置されると、照明装置１において同じ対峙配置群Ｇ１の照明ユニット１０どうしの間に冷陰極蛍光ランプ１１の屈曲部１１１があるので、対応する位置の光拡散板３が、十分な光量を得ることができる。したがって、照明ユニット１０と反対側の光拡散板３の発光面３ａにおいて輝度に斑が生じにくい。
【００２３】
以下に、第１の実施形態と比較した場合に照明ユニット１０の配置が各々異なる第２の実施形態から第６の実施形態の照明装置１について、図６から図１０を参照して説明する。なお、第１の実施形態と同じ機能を有する構成は、同一の符号を付してその説明を省略する。
【００２４】
本発明に係る第２の実施形態の照明装置１は、図６を参照して説明する。図６に示す照明装置１の照明ユニット１０は、冷陰極蛍光ランプ１１の端部１１２側を互いに向き合わせて直線状に一対に配置した背反配置群Ｇ２を構成し、さらにこの背反配置群Ｇ２を平行に複数並べた状態に配列されている。照明ユニット１０は、冷陰極蛍光ランプ１１に囲われた内側にインバータ１２を配置しており、図６に示すように冷陰極蛍光ランプ１１の端部１１２が屈曲部１１１よりもベースの外周縁に近い位置まで延在している。
【００２５】
したがって、同じ背反配置群Ｇ２における照明ユニット１０の冷陰極蛍光ランプ１１の端部１１２どうしが互いに向き合っている部分に生じる発光しない間隔は、１つの冷陰極蛍光ランプ１１の屈曲部１１１から端部１１２までの間で平行に並ぶ部分どうしの間の距離や、隣り合う背反配置群Ｇ２の照明ユニット１０の冷陰極蛍光ランプ１１どうしの間の距離よりも、十分に小さい。そして、端部１１２どうしが向き合わされた部分に対応する光拡散板３は、冷陰極蛍光ランプ１１から十分な光量を得ることができるので、光拡散板３の発光面３ａにおける輝度に斑が生じ難い。
【００２６】
本発明に係る第３の実施形態の照明装置１は、図７を参照して説明する。図７に示す照明装置１の照明ユニット１０は、冷陰極蛍光ランプ１１の屈曲部１１１側を向き合わせて直線状に一対に配置した対峙配置群Ｇ１と、冷陰極蛍光ランプ１１の端部１１２側を向き合わせて直線状に一対に配置した背反配置群Ｇ２とをそれぞれ構成し、これらを交互に平行に複数並べた状態に配置されている。第１の実施形態および第２の実施形態で説明したように、対峙配置群Ｇ１であっても背反配置群Ｇ２であっても、光拡散板３の発光面３ａにおける輝度に斑が生じ難い。したがって、対峙配置群Ｇ１と背反配置群Ｇ２とが交互に並んだ照明装置１も同様に光拡散板３の発行面における輝度にも斑が生じ難い。
【００２７】
本発明に係る第４の実施形態の照明装置１は、図８を参照して説明する。図８に示す照明装置１の照明ユニット１０は、冷陰極蛍光ランプ１１の屈曲部１１１側と端部１１２側とを互いに向き合わせて直線状に一対に配置した直列配置群Ｇ３を構成し、これらを平行に複数並べた状態に配列されている。
【００２８】
本発明に係る第５の実施形態の照明装置１は、図９を参照して説明する。図９に示す照明装置１の照明ユニット１０は、直列配置群Ｇ３の屈曲部１１１側が隣り合う直列配置群Ｇ３の端部１１２側と揃う向きに配置されている。
【００２９】
第４および第５の実施形態の照明装置１において、隣り合う照明ユニット１０は、屈曲部１１１と端部１１２とが向き合うように並んでいる。つまり、隣り合う照明ユニット１０どうしの隣接する辺のどちらか一方の辺に沿って冷陰極蛍光ランプ１１が必ず設けられている。したがって、光拡散板３における輝度の斑が生じ難い。
【００３０】
本発明に係る第６の実施形態の照明装置１は、図１０を参照して説明する。図１０に示す照明装置１は、第１から第５の実施形態の照明装置１よりも一回りサイズが大きいものである。したがって、光源として内部に取り付けられる照明ユニット１０の数も多い。この照明装置１において、照明ユニット１０の配置は、対峙配置群Ｇ１の屈曲部１１１側どうしの間に、これを横切る方向へ対峙配置群Ｇ１を挿入した状態である。本実施形態において、個々の照明ユニット１０の外形寸法は、縦横比が６：１に作られている。ここで示した外径寸法の比率は一例であって、さまざまな配列にするべく、４：１や７：２など他の比率であっても良い。
【００３１】
次に本発明に係る第７の実施形態の照明装置１に適用される照明ユニット１０は、図１１および図１２を参照して説明する。なお、照明装置全体の構成や照明ユニット１０の配列については、第１から第６の実施形態を参酌するものとする。図１１に示すように、照明ユニット１０は、隣り合う照明ユニット１０との位置決めを行う係合部１７ａ，１７ｂを備えている。この係合部１７ａ，１７ｂは、冷陰極蛍光ランプ１１の屈曲部１１１から端部１１２までの間に設けられる直線部分に沿うベース１３の２つの側部１３０からそれぞれ外に向かって延びている。各側部１３０には、屈曲部１１１寄りと端部１１２寄りにそれぞれ１つずつ、１つの照明ユニット１０には、合計４つの係合部１７ａ，１７ｂが設けられている。各係合部１７ａ，１７ｂは、照明装置１の本体２に向かって貫通された取付孔１７１を有している。
【００３２】
本実施形態における照明ユニット１０は、図１１において手前側に見える側部１３０の端部１１２寄りに設けられて手前側に延びている係合部１７ａは、本体２の取付部４に沿って設けられている。図１１において手前側に見える側部１３０の屈曲部１１１寄りに設けられて手前側に延びている係合部１７ｂは、図１２に示すように照明装置１の本体２に設けられる取付部４に対して少し浮き上がった位置に設けられている。
【００３３】
図１１において奥側の側部１３０の屈曲部１１１寄りに設けられて奥へ延びる係合部１７ａは、図１２に示すように本体２の取付部４に沿って設けられている。奥側の側部１３０の端部１１２寄りに設けられて奥へ延びる係合部１７ｂは、取付部４から少し浮き上がった位置に設けられている。言い換えると、ベース１３の側部１３０の一方と他方とで、互いに回転対称となる配置に係合部１７ａ，１７ｂがそれぞれ設けられている。
【００３４】
したがって、同じ形状の照明ユニット１０であれば、屈曲部１１１が隣り合うように並べて取り付けることもできるし、屈曲部１１１と端部１１２とが隣り合うように並べて取り付けることもできる。図１２に示すように隣り合う照明ユニット１０どうしの係合部１７ａ，１７ｂは、重ね合わされて、固定ボルト５で固定される。
【００３５】
本実施形態の照明ユニット１０は、係合部１７ａ，１７ｂを備えているので、隣り合う照明ユニット１０どうしの位置決めおよび取り付けが容易である。固定ボルト５によって照明ユニット１０は、本体２に固定されるので、第１の実施形態における固定部１３７や挿通孔１４６などは不要である。また、第１から第６の実施形態において、対峙配置群Ｇ１、背反配置群Ｇ２、直列配置群Ｇ３となる照明ユニット１０どうしの間において、上述の係合部１７ａ，１７ｂに相当するものを設けても良い。
【００３６】
本発明に係る第８の実施形態の照明装置１に適用される照明ユニット１０は、図１３および図１４を参照して説明する。なお、照明装置全体の構成や照明ユニット１０の配列については、第１から第６の実施形態を参酌するものとする。照明ユニット１０は、第７の実施形態の照明ユニット１０と比較して、係合部１７ａ，１７ｂの形状が異なる。
【００３７】
照明ユニット１０の係合部１７ａは、固定ボルト５の座となる部分の約半分が側部１３０に入り込んだ形状である。係合部１７ｂは、係合部１７ａの形状に対応するように側部１３０から内側に向けて凹んでいる。この実施形態においても、係合部１７ａ，１７ｂは、照明ユニット１０の側部１３０の一方側と他方側とで互いに回転対称の関係に設けられている。
【００３８】
したがって、この実施形態の照明ユニット１０も第７の実施形態の場合と同様に、屈曲部１１１側が同じ側に揃うように取り付けることも、屈曲部１１１側と端部１１２側とが同じ側に揃うように取り付けることもできる。さらに、係合部１７ａ，１７ｂは、隣に配置される照明ユニット１０の係合部１７ａ，１７ｂと重ね合わされることはない。したがって、照明ユニット１０を個々に単独で取り付けたり取り外したりすることが行える。
【００３９】
本発明に係る第９の実施形態の照明装置１に適用される照明ユニット１０は、図１５および図１６を参照して説明する。なお照明装置全体の構成や照明ユニット１０の配列については、第１から第６の実施形態を参酌するものとする。図１５に示す本実施形態の照明ユニット１０は、第７の実施形態の照明ユニット１０と比較して、係合部１７ａの形状が異なる。
【００４０】
図１６に示すように、照明ユニット１０の係合部１７ａは、固定ボルト５の貫通方向に２枚に分かれて設けられている。係合部１７ａに対応する係合部１７ｂは、係合部１７ａの間に挿入される。照明ユニットの他の部分の構成は、第１の実施形態と同じである。
【００４１】
照明装置１の照明ユニット１０の配置は、上述の第１から第６の実施形態に示した整列配置に限らず、他の整列配置であっても良い。上述の第１から第６の実施形態の場合と異なる照明ユニット１０の配置例として、第１０から第１２の実施形態の照明装置１における照明ユニットの配置を図１７から図１９に示す。
【００４２】
図１７に示す第１０の実施形態の照明装置１は、籠室の奥行きに対して幅が狭いタイプの乗籠１００に適用されている。乗籠１００の籠ドアは、片開き式である。この照明装置１の照明ユニット１０は、屈曲部１１１側が乗籠１００の側壁に対して左右交互に接近させた配置である。このように配置すると、インバータ１２が配置された端部１１２が籠室の中央寄りに配置される。各々の照明ユニット１０は、インバータ１２が冷陰極蛍光ランプ１１に囲われた位置に配置されているので、明るさに斑が発生することがない。また、照明ユニット１０は、屈曲部１１１が乗籠１００の側壁に接近させた状態に配置されているので、照明装置１の外周部まで、光が十分に行き届く。
【００４３】
図１８に示す第１１の実施形態の照明装置１は、籠室の前後方向に沿う向きで照明ユニット１０が取り付けられ、背反配置群Ｇ２に設けられた照明ユニット１０と単独の照明ユニット１０とが右端から左端まで交互に配置されている。背反配置群Ｇ２どうしの間に配置される照明ユニット１０は、本実施形態において、インバータ１２を前に向けた状態で取り付けられている。なお、背反配置群Ｇ２どうしの間に配置されるこれらの照明ユニット１０を乗籠の後ろ側に少し片寄せて配置して、籠室の奥側を明るくすることによって、これから乗り込もうとする利用者に対して、安心感や清潔感を与える意匠的な効果も得られる。
【００４４】
図１９に示す第１２の実施形態の照明装置１は、第１１の実施形態の照明装置１と同じく、前後方向に沿わせて照明ユニット１０が配置され、屈曲部１１１が前側に寄せられた照明ユニット１０と、屈曲部１１１が後ろ側に寄せられた照明ユニット１０とが籠室の天井１０１の右端から左端まで交互に配置されている。
【００４５】
上述の第１から第１２の実施形態は、エレベータの乗籠１００の天井１０１に設置される照明装置１を例に説明した。エレベータを利用する場合、密室による圧迫感を和らげるために、利用者は天井１０１や床を見る傾向がある。特に、先に他の人が乗っている場合や、籠室が混雑している場合など、目線を逸らせるために天井１０１のコーナー部や床を見る。また、エレベータに乗り込む場合、自然光が差し込むエレベータホールよりも人工光による籠室内のほうが暗く感じるため、籠室内で最も明るい照明装置１に目が行く。
【００４６】
したがって、エレベータの天井１０１は、オフィスや家庭などの天井に比べて見られる頻度が高い。このような場合にも、上述の照明装置１によれば、光拡散板３が斑なく均質に発光するので、意匠的な見栄えが良い。
【００４７】
また、照明ユニット１０は、外周縁に沿って冷陰極蛍光ランプ１１を内蔵しているとともに、冷陰極蛍光ランプ１１に囲われる内側にインバータ１２を配置している。カバー１４は、透明部材で形成されており、照明ユニット１０は、端まで光源として寄与する。したがって、第１から第６の実施形態および第１０から第１２の実施形態に示したように、照明ユニット１０を自由な配列に配置することができるだけでなく、第１０から第１２の実施形態のように籠室のサイズにかかわらず、その形状に合わせて光拡散板における輝度の斑が生じないように照明ユニット１０の配置を設定することができる。
【００４８】
図１および図１７から図１９において乗籠１００の籠ドアを各図中の下部側に配置しているが、これと９０°異なる側壁、つまり各図中の右や左の側壁に籠ドアが設置されていてもよい。同様に、第２から第６の実施形態に示した照明装置１に対して籠ドアを設置する位置は、図６から図１０中における下側や上側でもよいし、右側または左側でもよい。
【産業上の利用可能性】
【００４９】
本発明に係る照明装置は、エレベータの乗籠の天井の照明装置に限らず床に設けてもよい。また、照明装置は、光拡散板における輝度に斑が生じにくいので、光拡散板に意匠が施された表示パネルとしても利用することができる。
【図面の簡単な説明】
【００５０】
【図１】本発明に係る第１の実施形態の照明装置が設置されたエレベータの乗籠の天井を下方から仰ぎ見たて模式的に示す平面図。
【図２】図１中のＦ２−Ｆ２線に沿って模式的に示した照明装置の断面図。
【図３】図１に示した照明ユニットの斜視図。
【図４】図２に示した照明ユニットの冷陰極蛍光ランプの端部側の分解斜視図。
【図５】図２に示した照明ユニットの冷陰極蛍光ランプの屈曲部側の分解斜視図。
【図６】本発明に係る第２の実施形態の照明装置における照明ユニットの配置を模式的に示す平面図。
【図７】本発明に係る第３の実施形態の照明装置における照明ユニットの配置を模式的に示す平面図。
【図８】本発明に係る第４の実施形態の照明装置における照明ユニットの配置を模式的に示す平面図。
【図９】本発明に係る第５の実施形態の照明装置における照明ユニットの配置を模式的に示す平面図。
【図１０】本発明に係る第６の実施形態の照明装置における照明ユニットの配置を模式的に示す平面図。
【図１１】本発明に係る第７の実施形態の照明装置における照明ユニットを示す斜視図。
【図１２】図１１中のＦ１２−Ｆ１２線に沿って示す照明ユニットの断面図。
【図１３】本発明に係る第８の実施形態の照明装置における照明ユニットを示す斜視図。
【図１４】図１３中のＦ１４−Ｆ１４線に沿って示す照明ユニットの断面図。
【図１５】本発明に係る第９の実施形態の照明装置における照明ユニットを示す斜視図。
【図１６】図１５中のＦ１６−Ｆ１６線に沿って示す照明ユニットの断面図。
【図１７】本発明に係る第１０の実施形態の照明装置における照明ユニットの配置を模式的に示す平面図。
【図１８】本発明に係る第１１の実施形態の照明装置における照明ユニットの配置を模式的に示す平面図。
【図１９】本発明に係る第１２の実施形態の照明装置における照明ユニットの配置を模式的に示す平面図。
【符号の説明】
【００５１】
１…照明装置、２…本体、３…光拡散板、１０…照明ユニット、１１…冷陰極蛍光ランプ、１２…インバータ、１３…ベース、１４…カバー、１７ａ，１７ｂ…係合部、１１１…屈曲部、１１２…端部、１７１…取付孔、Ｗ…照射領域、Ｇ１…対峙配置群、Ｇ２…背反配置群、Ｇ３…直列配置群。
【図１】
2008204659.tif 000003
【図２】
2008204659.tif 000004
【図３】
2008204659.tif 000005
【図４】
2008204659.tif 000006
【図５】
2008204659.tif 000007
【図６】
2008204659.tif 000008
【図７】
2008204659.tif 000009
【図８】
2008204659.tif 000010
【図９】
2008204659.tif 000011
【図１０】
2008204659.tif 000012
【図１１】
2008204659.tif 000013
【図１２】
2008204659.tif 000014
【図１３】
2008204659.tif 000015
【図１４】
2008204659.tif 000016
【図１５】
2008204659.tif 000017
【図１６】
2008204659.tif 000018
【図１７】
2008204659.tif 000019
【図１８】
2008204659.tif 000020
【図１９】
2008204659.tif 000021